(57)【要約】【課題】外光等が自動車に搭載された液晶表示装置の表示面に映り込まない様にする。【解決手段】液晶表示装置に於ける表示面１１の横断面形状を、その焦点位置がＣ１及びＣ２である楕円弧１３に沿って凹形に湾曲されたものとする。位置Ｒ３で反射した外光等Ｌ３は、楕円焦点Ｃ２に居る観察者２４の視界には入らない。しかも、外光等Ｌ４は、楕円焦点Ｃ１に居る観察者２４によって遮られ、楕円焦点Ｃ２に居る観察者２４の視界には入らない。【選択図】図１
2008309813.tif 000002
【特許請求の範囲】
【請求項１】
一対の透明基板と、両透明基板間に挟持された液晶と、前記両透明基板の各々の外側の面に配置された偏光板とから構成される液晶パネルと、バックライトとから構成される液晶表示装置において、
所定の楕円弧に沿って凹形に湾曲した表示面を備えていることを特徴とする、
液晶表示装置。
【請求項２】
請求項１記載の液晶表示装置において、
前記所定の楕円弧を成す楕円の焦点距離が５０ｃｍから１００ｃｍの範囲内にあり、且つ、前記楕円の短軸半径が５０ｃｍから１００ｃｍの範囲内にあることを特徴とする、
液晶表示装置。
【請求項３】
請求項１又は２に記載の液晶表示装置において、
前記液晶パネルが、前記所定の楕円弧と相似な楕円弧に沿って凹形に湾曲した支持板に貼り付けられていることを特徴とする、
液晶表示装置。
【請求項４】
請求項１又は２に記載の液晶表示装置において、
前記液晶パネルが、共に前記所定の楕円弧と相似な楕円弧に沿って凹形に湾曲した形状を有する支持板と固定枠とに挟み込まれていることを特徴とする、
液晶表示装置。
【請求項５】
請求項１乃至４の何れかに記載の前記液晶表示装置を用いた自動車用映像機器であって、
前記表示面を規定する前記所定の楕円弧を成す楕円の両焦点がそれぞれ自動車内の左右の座席の頭部部分に位置することを特徴とする、
自動車用映像機器。
【発明の詳細な説明】
【技術分野】
【０００１】
この発明は、例えば自動車等に搭載され、地図や案内等の情報又は映画等の娯楽映像の表示を行なう液晶表示装置に関する。
【背景技術】
【０００２】
液晶表示装置は、小型、軽量及び薄型の特徴を有することから、自動車等のナビゲーションシステムの画像表示装置として用いられている。又、近年では、自動車等の車内でビデオテープやＤＶＤ等の媒体に記録された娯楽映像を表示する用途にも、液晶表示装置が用いられている。
【０００３】
一般に、液晶表示装置は、一対の平板状のガラス基板間に、流動性のある液晶が封入されて、両ガラス基板の各外側面に偏光板が配置されて成る液晶パネルと、バックライトとが積層されて構成されている。少なくとも一方のガラス基板の内側（液晶側）面には透明電極が形成され、液晶に印加される電圧波形により液晶の複屈折性が調整され、液晶パネルの透過率が制御される。液晶表示装置の詳細については、例えば非特許文献１に記載されている。
【０００４】
自動車等に搭載される液晶表示装置に於いては、車内に入る太陽光等の外光や車内の照明が表示面で反射して観察者の視界に入り画像が見難くなると言う「映り込み現象」が発生する。この映り込み現象を抑制するために、表示面の表面を粗面化する、或いは、表面に誘電体薄膜等の反射防止層が設けられる。
【０００５】
しかしながら、液晶表示装置が自動車等の乗物に搭載される場合、季節、時刻、場所等の環境条件によっては、上記の表面の粗面化や反射防止層の配設では外光等の映り込み現象を充分に防止することは出来なかった。
【０００６】
そこで、柔軟なプラスチック基板と自己支持性のある液晶とを用いて作製され、円弧に沿って凹形に湾曲した表示面を有する液晶表示装置が提案されている（特許文献１）。本液晶表示装置は、観察者を中心とする円弧に沿った表示面を備えており、これにより、表示面で反射する外光等は全て観察者の視界から外れることとなるため、外光等の映り込み現象を防止することが出来る。即ち、１名の観察者が液晶表示装置の正面に位置する場合には、特許文献１に記載の液晶表示装置は、高い映り込み現象防止効果を奏する。
【０００７】
【特許文献１】特開平６−３６５０号公報
【非特許文献１】「カラーＴＦＴ液晶ディスプレイ」、ＳＥＭＩスタンダードＦＰＤテクノロジー部会編、共立出版株式会社
【発明の開示】
【発明が解決しようとする課題】
【０００８】
円弧に沿って凹形に湾曲した表示面を有する液晶表示装置を自動車内の左右方向の中央付近に設置して左右の座席から当該液晶表示装置を観察する場合、例えば液晶表示装置をダッシュボードやインスツルメントパネル（インパネ）の中央付近、或いはセンターコンソール部に配置して左右の前部座席から当該液晶表示装置を観察する場合、又は、前部座席間のセンターコンソール部やコンソールボックス部、或いは前部座席間の天井部に配置して左右の後部座席から当該液晶表示装置を観察する場合に於いては、外光等の表示面での反射光が観察者の視界に入り、表示画像が見難くなるという問題点があった。
【０００９】
以下では、従来の湾曲した表示面を有する液晶表示装置と観察者との位置関係を示す図１４及び図１５を用いて、映り込み現象が発生しない場合と発生する場合とのメカニズムを説明する。
【００１０】
従来の液晶表示装置は、所定の円弧１２に沿って凹形に湾曲した表示面１１を有している。図１４では、外光等の反射の様子を説明するために、液晶表示装置の表示面１１のみを示しているが、表示面１１の後方には、液晶表示装置の構成要素、即ち、偏光板、基板、液晶層、バックライト等が積層されている。図１４に示す様に、観察者２１が円の中心Ｃの位置から液晶表示装置を観察する場合には、観察者の左右から表示面に入射する外光Ｌ１（図１４は観察者の左から入射する場合を示す。）は、表示面１１の位置Ｒ１に於いて表示面１１への入射角θｉと同じ角度の反射角θｒ（＝θｉ）で反射するので、位置Ｒ１の垂線（図１４中の破線）の方向に位置する観察者の視界には入らない。従って、外光等の映り込み現象を防止することが出来る。特許文献１に記載の液晶表示装置は、湾曲した表示面１１の円弧１２の曲率を調整する機構を有しており、観察者が液晶表示装置に対して前後方向３に移動しても、上記曲率１２の調整によって外光等の映り込みを防止することが出来る。
【００１１】
しかしながら、図１５に示す様に、液晶表示装置を自動車内の左右の座席から観察する場合（図１５は右座席から観察する場合を示す。）には、観察者２２は円の中心Ｃから外れた位置から液晶表示装置を観察することになり、図１４と同じ方向から入射する外光Ｌ１の反射光は観察者２２の視界に入ってしまう。又、外光Ｌ１とは異なる方向から入射する外光についても、例えば外光Ｌ２の様に、外光Ｌ１の反射位置Ｒ１とは異なる位置Ｒ２で反射して、観察者２２の視界に入ってしまう。
【００１２】
この発明は、上記の様な問題点を解決するために成されたものであり、液晶表示装置を自動車内の左右の座席から観察する場合に、液晶表示装置の表示面での外光や車内照明等の映り込み現象を防止する、見易い液晶表示装置を提供することを、その目的としている。
【課題を解決するための手段】
【００１３】
本発明の主題に係る液晶表示装置は、その横断面形状が所定の楕円弧に沿って凹形に湾曲された表示面を備えることを特徴とする。
【００１４】
以下、この発明の主題の様々な具体化を、添付図面を基に、その効果・利点と共に、詳述する。
【発明の効果】
【００１５】
本発明の主題によれば、液晶表示装置は所定の楕円弧に沿って凹形に湾曲した表示面を備えているので、自動車等の乗物に於いて観察者が左右の座席から液晶表示装置を観察する場合に、表示面に入射した外光等を観察者の視界の外に反射させることが出来、映り込み現象を効果的に防止することが出来る。
【発明を実施するための最良の形態】
【００１６】
（実施の形態１）
図１は、その横断面形状が所定の楕円弧に沿った凹形状に湾曲した表示面を有する液晶表示装置と観察者との位置関係を模式的に示す横断面図である。以下、図１を用いて、本発明の液晶表示装置の映り込み現象防止のメカニズムを説明する。
【００１７】
本発明の液晶表示装置は、所定の楕円弧１３に沿って凹形に湾曲した表示面１１を備えている。図１では、図１４及び図１５と同様に、液晶表示装置の表示面１１のみを示しており、表示面１１の後方の構成要素の記載を省略している。２名の観察者２３、２４が、表示面１１が形成する楕円（楕円弧１３）の２つの焦点Ｃ１、Ｃ２の位置から表示面１１を観察する場合には、２名の観察者２３、２４の左右或いは観察者２３、２４の間から入射する外光の表示面１１での反射光は、２名の観察者２３、２４の視界には入らない。図１は、外光Ｌ３が２名の観察者２３、２４の左から入射する場合を示すが、外光Ｌ３は表示面１１の位置Ｒ３に於いて反射し、２名の観察者２３、２４の右側へ抜ける。同様に、２名の観察者２３、２４の右側から入射する場合の反射光は、２名の観察者２３、２４の左側へ抜ける。又、２名の観察者２３、２４の間から入射する場合の反射光は、２名の観察者２３、２４の間へ抜ける。従って、外光等の映り込み現象を防止することが出来る。
【００１８】
外光等の表示面１１での反射光が観察者２３、２４の一方の視界に入る場合、例えば図１に示す様に表示面１１での反射光が焦点Ｃ２の位置の観察者２４の視界に入る場合の外光とは、焦点Ｃ２とは別の焦点Ｃ１を通って表示面１１に入射する外光Ｌ４のみである。しかしながら、焦点Ｃ１の位置にはもう１名の観察者２３がいるので、観察者２３によって外光Ｌ４は遮られ、表示面１１に入射しない。外光Ｌ４とは異なる方向から焦点Ｃ１を通って表示面１１に入射する場合も、同様に、当該外光は観察者２３によって遮られる。又、観察者２３が焦点Ｃ１の位置にいない場合であっても、自動車の両座席の頭部部分の位置が２つの焦点Ｃ１、Ｃ２の位置にある場合を考えるときには、焦点Ｃ１を通る外光は、座席のヘッドレスト部によって遮られるので、焦点Ｃ１を通る外光の表示面１１への入射を確実に防止することが出来る。
【００１９】
本発明は、一方の焦点から放出された光はもう一方の焦点に収束する楕円鏡の性質に着目して成されたものであり、所定の楕円弧１３に沿って凹形に湾曲した表示面１１を備えることによって、外光等の映り込み現象を効果的に抑制出来る液晶表示装置を提供する。
【００２０】
一般的な大きさの自動車（普通乗用車、軽乗用車等）では、左右の座席の頭部部分の間の距離は５０ｃｍから１００ｃｍの範囲内である。従って、表示面１１が形成する楕円の焦点距離（図１のＤ１）を、図１の液晶表示装置を搭載する自動車の座席間距離に合わせて、５０ｃｍから１００ｃｍの範囲内の所定の焦点距離に設定する。更に、表示面１１が形成する楕円の短軸半径（図１のＤ２）を、図１の液晶表示装置を搭載する自動車の左右の座席の頭部部分を結ぶ線と当該液晶表示装置の設置位置との間の距離に設定する。即ち、前部座席とダッシュボードやインパネの中央付近或いはセンターコンソール部までの距離、及び、後部座席と前部座席間のコンソールボックス部や前部座席間の天井部までの距離は、５０ｃｍから１００ｃｍの範囲内であり、表示面１１が形成する楕円の短軸半径Ｄ２を、この範囲内の所定の距離に設定する。この様な値に各々設定された焦点距離Ｄ１及び短軸半径Ｄ２を有する楕円の楕円弧１３に沿った凹形状に、自動車内に搭載された液晶表示装置の表示面１１を設定することによって、一般的な大きさの自動車に当該液晶表示装置を搭載する場合に、高い映り込み防止効果が得られる。
【００２１】
続いて、所定の楕円弧に沿って湾曲した表示面を有する液晶表示装置の構成について、水平方向の横断面を示す図２を用いて説明する。本実施の形態に係る液晶表示装置３０は、透明基板３１、３２と、両透明基板３１、３２に挟持された液晶３３と、各透明基板３１、３２の外側の面にそれぞれ配置された偏光板３４、３５と、裏面側の偏光板３５の後部に配置され且つ透明な材料から成る支持板３６と、バックライト３７とから構成される。２枚の透明基板３１、３２の内側（液晶側）面には、カラーフィルタ、配線、電極、配向膜層等（何れも図示せず。）が配置されている。透明基板３１、３２としては、柔軟性を有する薄いガラス基板或いはプラスチック基板が用いられる。表示面１１は、表側の偏光板３４の表面であり、この表面が所定の楕円弧に沿った形状に湾曲している。尚、液晶表示装置３０を正面から見て上下方向の縦断面形状は湾曲していない。
【００２２】
次に、本発明に係る液晶表示装置の製造方法について説明する。本実施の形態では、２枚の透明基板として平面のガラス基板を用い、液晶表示装置の製造工程に於いて、両ガラス基板を薄膜化した後、湾曲させることによって、所望の表示面を有する液晶表示装置を製造した。又、液晶表示装置の液晶表示モードとしては、捩れネマチック（ＴＮ：Ｔｗｉｓｔｅｄ  Ｎｅｍａｔｉｃ）モードを用いた。
【００２３】
図３は、貼り合わせる前の２枚のガラス基板３１、３２を示す縦断面図である。本実施の形態では、一対のガラス基板３１、３２で、４つの液晶表示装置を製造する。ガラス基板３１、３２の厚さは、２枚とも０．５ｍｍである。ガラス基板３１上には、カラーフィルタ層及び透明電極（共に図示せず。）が、この順序で積層されている。透明電極上に、配向膜層４１を形成し、所定の方向に配向処理が施される。配向膜としては、ポリイミド等の高分子材料が用いられる。配向処理は、配向膜４１の表面をレーヨン布等で擦る（ラビングする）ことで行なわれる。配向処理の後、球状の樹脂製スペーサ材４２を配向膜４１の表面に散布する。スペーサ材４２には、直径４．５μｍの物を用いた。もう一方のガラス基板３２上には、各種配線及び電極等（図示せず。）が形成され、画素がマトリクス状に配置されている。その上に、配向膜層４１を形成し、所定の方向に配向処理が施される。配向膜層４１の材料及び配向処理方法等は、ガラス基板３１の場合と同じである。配向処理の後、マトリクス状に配置された画素から成る各表示領域を囲む様に、シール剤４３が塗布される。更に、ガラス基板３２の最外周の内側にも、ダミーシール剤４４が塗布される。シール剤４３及びダミーシール剤４４には、エポキシ樹脂等の熱硬化性樹脂が用いられる。
【００２４】
次に、２枚のガラス基板３１、３２を、それぞれの配向膜層４１が対面する様に貼り合わせ、熱圧着してシール剤４３及びダミーシール剤４４を固める。ここで、図４は貼り合わせた状態の縦断面構造を示す図であり、図５はガラス基板３１、３２上のシール剤４３及びダミーシール剤４４の各形状を示す透視平面図である。各表示領域を囲む様に塗布されたシール剤４３には、液晶注入のための開口部である注入口４６が設けられている。
【００２５】
次に、貼り合わされた２枚のガラス基板３１、３２を、弗化水素酸（ＨＦ）又はバッファード弗化水素酸（ＢＨＦ：ＨＦ+ＮＨ４Ｆ）のエッチング溶液に浸漬することによりエッチングして、薄膜化する。エッチング溶液の濃度や浸漬時間を調整して、各ガラス基板３１、３２の厚さを０．２ｍｍ前後に薄くする。ガラス基板３１、３２の厚さは、０．１ｍｍから０．３ｍｍまでの範囲が望ましい。ガラス基板３１、３２がこの範囲よりも薄すぎると、ガラス基板３１、３２の薄膜化後の製造工程、例えば後述する液晶注入時や偏光板貼り付け時等の製造工程でガラス基板３１、３２が割れ易く成り、逆に上記範囲よりも厚すぎると、ガラス基板３１、３２が湾曲しにくいため、湾曲させる工程でガラス基板３１、３２が割れ易く成る。
【００２６】
ガラス基板３１、３２を薄膜化した後、ガラススクライバ等を用いて、図５に示す切断位置４５で、貼り合わされたガラス基板３１、３２等から成る構造体を切断し、液晶表示装置１台分の大きさに加工する。尚、外部の画像信号出力部と接続される配線端子が存在する辺では、接続端子が形成されたガラス基板３２よりも内側でガラス基板３１を切断する。
【００２７】
次に、切断した後の貼り合わせ済みガラス基板３１、３２と液晶とを真空容器中に入れて真空容器内を真空にした後、図５の注入口４６を液晶３３に接触させる。その上で真空容器内を大気圧に戻すことにより、液晶３３が注入口４６から注入される。液晶３３が注入された状態の縦断面構造を図６に示す。液晶３３には、誘電率異方性が正のネマチック液晶が使用される。図６に示す通り、液晶３３の注入後に、図５の注入口４６を封止剤４７で塞ぐ。封止剤４７には、紫外線硬化型の接着剤が用いられる。
【００２８】
次に、ガラス基板３１、３２の外側面にそれぞれ偏光板３４、３５を貼り付ける。偏光板３４、３５には、ヨウ素で染色されたＰＶＡ（ポリビニルアルコール）を延伸し、２枚のＴＡＣ（セルローストリアセテート）フィルムに挟んだ物が用いられる。偏光板３４、３５の貼り付けには、フィルム状の粘着剤が用いられる。偏光板３４、３５が貼り付けられた状態の縦断面構造を、図７に示す。偏光板３４、３５の貼り付け後、ガラス基板３２上の配線端子と外部の画像信号出力端子（共に図示せず。）とを接続する。以上の様にして、液晶表示装置の内の液晶パネル部分を製造した。
【００２９】
続いて、図８に示す様に、ローラー４８で液晶パネルを支持板３６に押さえ付けながら、シート状の粘着フィルムを用いて当該液晶パネルと支持板３６とを貼り付けた。支持板３６には、アクリル、ポリカーボネート等の透明樹脂を整形した物を用いる。表示面を楕円弧に沿って凹形に湾曲させる場合、表示面の曲率（曲がり具合）は場所によって一定ではなく、液晶表示装置の中央付近よりも左右周辺部の方が、曲率が大きい。本実施の形態では、図８に示す様に、楕円弧に沿って凹形に湾曲した支持板３６に当該液晶パネルを貼り付けることによって、液晶表示装置の表示面１１（図１及び図２）を所望の楕円弧に沿った凹形状に固定することが出来る。特に、上記構成により、表示面１１を楕円弧に沿った凹形に湾曲させたまま、その横断面形状を長期間安定して維持することが出来る。尚、本実施の形態では、液晶表示装置の表示面１１は、焦点距離が８０ｃｍ、短軸半径が６０ｃｍの楕円弧に沿った形状とした。
【００３０】
次に、支持板３６によって作り出される所定の楕円弧に沿って湾曲した表示面１１を有する液晶パネル及び支持板３６をバックライト３７上に積層して、図２に示す液晶表示装置を作製した。バックライト３７は、通常の液晶表示装置のバックライトの積層構成であり、反射シート、導光板、拡散シート、ランプ等（何れも図示せず。）から構成されている。
【００３１】
以上の様にして作製された液晶表示装置を、左右の後部座席の頭部部分の間の距離が８０ｃｍである普通乗用車の前部座席間の天井部に設置して、そこから６０ｃｍ後方の左右の後部座席から観察したところ、外光等の映り込み現象が発生せず、見易い画像表示を実現することが出来た。
【００３２】
尚、本実施の形態に於いては、楕円弧に沿って凹形に湾曲した支持板３６に液晶パネルを貼り付けたが、貼り付ける順序が異なっていても良い。即ち、図２に示す液晶表示装置３０の構成に於いて、支持板３６に裏側の偏光板３５を貼り付け、次に液晶注入済みの一対のガラス基板３１〜３３（図６の状態）を貼り付け、最後に表側の偏光板３４を貼り付けることとしても良い。
【００３３】
又、本実施の形態に於いては、楕円弧に沿って凹形に湾曲した透明な支持板３６を液晶パネルの裏側に配置しているが、支持板３６を液晶パネルの表側に配置しても良い。表側に支持板３６を配置する場合には、表側の偏光板３４と支持板３６とを粘着フィルム等で貼り合わせる。この場合には、透明な支持板３６の表面が液晶表示装置３０の表示面１１と成り、液晶パネルの裏面がバックライト３７の上に搭載されることとなる。
【００３４】
（実施の形態２）
実施の形態１では、所定の楕円弧に沿って凹形に湾曲した支持板に液晶パネルを貼り付けているが、本実施の形態では、粘着フィルムや接着剤等を用いること無く、所定の楕円弧に沿って凹形に湾曲した表示面を有する液晶表示装置を実現した。以下、図面を用いて、本実施の形態に係る液晶表示装置の構成を記載する。
【００３５】
図９は、本実施の形態に係る液晶表示装置の構成を示す横断面図である。又、図１０は、図９の液晶表示装置をその表示面１１側から見た際の平面図である。図９に明示する通り、本実施の形態では、実施の形態１とは異なり、表示面１１側に、それぞれ所定の楕円弧に沿って凹状に湾曲した表面及び裏面を備える上側部分３８ＵＰを有する固定枠３８が配置されている。そして、固定枠３８の上側部分３８ＵＰの表示面１１の直上に該当する部分は開口されており、固定枠３８の上下左右４辺と、液晶パネル裏側の、楕円弧に沿って凹形に湾曲した支持板３６とで液晶パネルを挟み込む構造によって（支持板３６の非湾曲状の突出部分３６Ｐは、固定枠３８の下側部分３８ＬＰの直上に嵌め込まれている。）、表示面１１を含む液晶パネルの横断面形状は、楕円弧に沿って凹状に湾曲した形状に、長期間安定的に維持・固定される。しかも、本実施の形態では、液晶パネルの裏面側の偏光板３５と支持板３６との間、及び、液晶パネルの表面側の偏光板３４と固定枠３８の上側部分３８ＵＰとの間には、粘着フィルムや接着剤等は用いられない。
【００３６】
又、実施の形態１では、液晶パネルの支持板３６への貼り合せ時に於いて製造不良が合った場合、ガラス基板３１、３２が薄いために、液晶パネルの支持板３６への貼り直しは困難である。しかし、本実施の形態では、共に楕円弧に沿って凹状に湾曲した形状を有する固定枠３８の上側部分３８ＵＰと支持板３６とで液晶パネルを挟み込む構成としているので、当該貼り合せ工程そのものが不要である。
【００３７】
実施の形態１及び２に於いては、表側の偏光板３４には、従来の液晶表示装置と同様に、その表面に反射防止層を設けた物を用いた。外光等が表示面１１の楕円弧１３の焦点に位置する観察者に当たり反射する場合、例えば観察者が装着した眼鏡等で外光等が反射する場合、その反射光が表示面１１で再度反射して他の焦点に位置するもう１名の観察者の視界に入る。そこで、その表面が表示面１１を成す偏光板３４に反射防止層を設ける、或いは、粗面化処理を行なうことにより、こうした弱い映り込み現象を防止することが出来る。
【００３８】
（実施の形態３）
実施の形態２では、表示面部分に開口部を設けた固定枠３８を用いているが、本実施の形態では、その様な構造に代えて、表示領域が透明樹脂で構成された固定枠を用いている。
【００３９】
図１１は、本実施の形態に係る液晶表示装置３０の横断面形状を示す横断面図である。以下、図１１を参照して、本実施の形態に係る液晶表示装置３０の構成上の特徴点を説明する。
【００４０】
図１１に示す様に、固定枠３８内の表示領域が、楕円弧に沿って凹状に湾曲した透明窓３９で構成されており、且つ、固定枠３８の内側空間に位置する液晶パネルの偏光板３４の楕円弧に沿って凹状に湾曲した表面の全面に、固定枠３８の上側部分３８ＵＰの裏面一部全体と透明窓３９の裏面全体とが、段差を発生させることなく、当接している。その結果、本液晶表示装置３０の表示面１１は、透明窓３９の表面に該当する。表側の固定枠３８の上側部分３８ＵＰ及び透明窓３９と裏側の支持板３６とで、液晶パネルの表面及び裏面のほぼ全面を挟み込むことによって、液晶パネルの横断面形状を、実施の形態２の場合よりも強く、楕円弧に沿って凹状に湾曲した形状に固定することが出来る。従って、振動等による表示面１１の横断面形状の変化を抑制することが出来、より信頼性の高い液晶表示装置３０を提供することが出来る。
【００４１】
本実施の形態に於いても、表示面１１である透明窓３９の表面上に、反射防止層を設けた。外光等が、表示面１１が成す楕円弧の楕円の一方の焦点に居る観察者に当たり反射する場合に、その反射光が表示面１１で再度反射して他方の焦点に居るもう１名の観察者の視界に入る様な、弱い映り込み現象を防止するためである。
【００４２】
又、本実施の形態でも、実施の形態２と同様に、液晶パネルの裏側の偏光板３５と支持板３６との間、並びに、液晶パネルの表側の偏光板３４と固定枠３８の上側部分３８ＵＰ及び透明窓３９との間には、粘着フィルムや接着剤等は用いられない。とは言え、液晶パネルと固定枠３８又は支持板３６との位置ずれの発生を防ぐために、固定枠３８又は支持板３６に、液晶パネルと同等サイズ相当の掘り込み構造を設けることが望ましい。例えば、図１０に示す、表示面１１の実線と偏光板３４の破線とで囲まれた固定枠３８の上側部分３８ＵＰの領域内に、上記掘り込み構造を設ける（この場合、掘り込み分だけ、透明窓３９の厚みが薄くなる。）。
【００４３】
（実施の形態４）
本実施の形態に係る自動車用映像機器について、外観の斜視図１２を用いて説明する。本実施の形態の自動車用映像機器５０は、実施の形態１に記載した所定の楕円弧に沿って凹形に湾曲した表示面１１を有する液晶表示装置３０（上記楕円弧を成す楕円の両焦点Ｃ１、Ｃ２（図１）は、当該自動車用映像機器５０が搭載される自動車内の左右の座席（前方又は後方の一方の座席）の頭部部分に位置する。）と、ＤＶＤ再生制御部５１と、液晶表示装置３０とＤＶＤ再生制御部５１とを接続する接続アーム５２とから構成されている。しかも、接続アーム５２は、液晶表示装置３０の表示面１１の傾斜角度５３を調整できる様に、可動式に構成されている。ＤＶＤ再生制御部５１には、ＤＶＤ映像の動作を制御する制御ボタン５４及びＤＶＤディスクを挿入するＤＶＤ出入口５５等が、配置されている。
【００４４】
本実施の形態の自動車用映像機器５０を、自動車内の前部座席間の天井部に、図１２の配置とでは天地を逆にして取り付け、液晶表示装置３０の傾斜角度５３を調整して、当該自動車内の左右の後部座席から液晶表示装置３０の表示面１１に映し出されるＤＶＤ映像を観察したところ、季節、時刻及び場所等の環境条件によらず、映り込み現象の無い見易い画像を得ることが出来た。即ち、自動車周囲の環境によらず、外光等の表示面への映り込み現象を有効に防止することが出来る。
【００４５】
本発明の適用対象となる自動車用映像機器は、本実施の形態に係るＤＶＤ再生装置のみに限られない。地図や案内等の情報を表示するナビゲーションシステム、音楽情報等を表示するカーオーディオ、テレビ放送等を表示する自動車用テレビ等、車内に於いて左右の座席から観察する映像機器に本発明を適用することにより、映り込み現象の無い見易い表示画像を提供することが出来る。
【００４６】
以上の実施の形態１〜３は、液晶表示装置３０を自動車内の左右の座席の中央前方に配置する場合の液晶表示装置３０に関するものであったが、左右何れか一方の前方に液晶表示装置３０を配置する場合にも、同様に、液晶表示装置３０の表示面１１を所定の楕円弧１３に沿って凹形に湾曲させれば良い。ここで、図１３は、液晶表示装置を左側の座席の前方に配置する場合の、液晶表示装置の表示面１１の横断面形状及び表示面１１と観察者２３、２４との位置関係を示す図である。図１に示した様に表示面１１の湾曲形状が左右対称でなくとも、表示面１１の湾曲形状が図１３に示す様な楕円弧１３に沿った形状であれば、同様に映り込み現象を抑制することが出来る。
【００４７】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００４８】
【図１】本発明の液晶表示装置に於ける映り込み現象防止のメカニズムを示す横断面図である。
【図２】本発明の実施の形態１に係る液晶表示装置の構成を示す横断面図である。
【図３】本発明の実施の形態１に係る液晶表示装置の製造工程を示す縦断面図である。
【図４】本発明の実施の形態１に係る液晶表示装置の製造工程を示す縦断面図である。
【図５】本発明の実施の形態１に係る液晶表示装置の製造工程を示す平面図である。
【図６】本発明の実施の形態１に係る液晶表示装置の製造工程を示す縦断面図である。
【図７】本発明の実施の形態１に係る液晶表示装置の製造工程を示す縦断面図である。
【図８】本発明の実施の形態１に係る液晶表示装置の製造工程を示す縦断面図である。
【図９】本発明の実施の形態２に係る液晶表示装置の構成を示す横断面図である。
【図１０】本発明の実施の形態２に係る液晶表示装置の構成を示す平面図である。
【図１１】本発明の実施の形態３に係る液晶表示装置の構成を示す横断面図である。
【図１２】本発明の実施の形態４に係る自動車用映像機器の構成を示す斜視図である。
【図１３】本発明の変形例に係る液晶表示装置に於ける表示面の形状を示す横断面図である。
【図１４】従来の液晶表示装置に於ける映り込み現象防止のメカニズムを示す横断面図である。
【図１５】従来の液晶表示装置に於ける映り込み現象発生のメカニズムを示す横断面図である。
【符号の説明】
【００４９】
１１  表示面、１２  円弧、１３  楕円弧、２１〜２４  観察者、３０  液晶表示装置、３１  表側透明基板、３２  裏側透明基板、３３  液晶、３４  表側偏光板、３５  裏側偏光板、３６  支持板、３７  バックライト、３８  固定枠、３９  透明窓、４１  配向膜層、４２  スペーサ、４３  シール剤、４４  ダミーシール剤、４５  切断位置、４６  注入口、４７  封止剤、４８  ローラー、５０  自動車用映像機器、５１  ＤＶＤ再生制御部、５２  接続アーム、５３  傾斜角度、５４  制御ボタン、５５  ＤＶＤ出入口、Ｃ  円弧の中心、Ｃ１，Ｃ２  楕円焦点、Ｌ１〜Ｌ４  外光等、Ｒ１〜Ｒ３  反射位置。
【図１】
2008309813.tif 000003
【図２】
2008309813.tif 000004
【図３】
2008309813.tif 000005
【図４】
2008309813.tif 000006
【図５】
2008309813.tif 000007
【図６】
2008309813.tif 000008
【図７】
2008309813.tif 000009
【図８】
2008309813.tif 000010
【図９】
2008309813.tif 000011
【図１０】
2008309813.tif 000012
【図１１】
2008309813.tif 000013
【図１２】
2008309813.tif 000014
【図１３】
2008309813.tif 000015
【図１４】
2008309813.tif 000016
【図１５】
2008309813.tif 000017